(57)【要約】【課題】液体噴射装置において、キャリッジが加減速する場合に、キャリッジがガイド部材から浮き上がることを防止する。【解決手段】液体噴射装置１０であって、主走査方向に往復するキャリッジ３００と、キャリッジ３００の底面に配された噴射ヘッド３４０と、主走査方向に延伸し、水平面４１０よび当該水平面４１０から略直角に立ち上がる鉛直面４２０によりＬ字の形状をなすガイド部材４００と、キャリッジ３００の背面から延伸し、キャリッジ３００が挿入されるＬ字の形状の溝を有するガイド溝部３１０であって、キャリッジ３００の主走査方向における両端近傍に一対配されるガイド溝部３１０とを備え、キャリッジ３００をガイド部材４００の水平面４１０に付勢すべく、キャリッジ３００が往復する領域の両方の外側に渡って張られた付勢部４３０、４７０を更に備える。【選択図】  図２
2005014519.tif 000002
【特許請求の範囲】
【請求項１】
液体噴射装置であって、主走査方向に往復するキャリッジと、
前記キャリッジの底面に配され、前記キャリッジの下方に搬送された被記録物へ液体を噴射する噴射ヘッドと、
前記主走査方向に延伸し、水平面および当該水平面から略直角に立ち上がる鉛直面によりＬ字の形状をなすガイド部材と
を備え、
前記キャリッジは、背面から延伸し、前記ガイド部材が挿入されるＬ字の形状の溝を有するガイド溝部であって、前記キャリッジにおける前記主走査方向の両端近傍に一対配されるガイド溝部を有し、
前記ガイド部材の前記鉛直面は、前記ガイド溝部における前記Ｌ字の形状の鉛直な部分に当接することにより、前記被記録物の搬送方向における前記噴射ヘッドの位置を規制し、
前記ガイド部材の前記水平面は、前記ガイド溝部における前記Ｌ字の形状の水平な部分に当接することにより、前記噴射ヘッドの前記被記録物からの高さを規制し、
前記キャリッジを前記ガイド部材の前記水平面に付勢すべく、前記キャリッジが前記主走査方向に往復する領域の一方の外側から他方の外側に渡って張られた付勢部を更に備える液体噴射装置。
【請求項２】
前記付勢部は、前記一対のガイド溝部から同じ距離の位置で前記キャリッジを付勢する請求項１に記載の液体噴射装置。
【請求項３】
前記キャリッジは、前面近傍において前記底面から下方に延伸した足部を更に有し、
前記キャリッジの前記足部が当接すべく、前記主走査方向に延伸する足部ガイド面とを更に備え、
前記足部ガイド面は、前記足部に当接することにより、前記ガイド部材の前記水平面と共に、前記噴射ヘッドの前記被記録物からの高さを規制し、
前記付勢部はさらに、前記キャリッジの前記足部を前記足部ガイド面に付勢する請求項１に記載の液体噴射装置。
【請求項４】
前記付勢部は、前記被記録物の前記搬送方向について、前記キャリッジの前記ガイド溝部と前記足部との間において前記キャリッジを付勢する請求項３に記載の液体噴射装置。
【請求項５】
前記付勢部は、前記ガイド溝部の上方において前記キャリッジに固定されたタイミングベルトを有し、
前記キャリッジが往復する前記領域の前記一方の外側および前記他方の外側にそれぞれ配され、前記タイミングベルトがかけ回される駆動歯車および従動歯車であって、前記タイミングベルトを駆動する駆動歯車、および、前記タイミングベルトに従動する従動歯車をさらに備え、
前記タイミングベルトが、前記駆動歯車と前記従動歯車とを結ぶ直線よりも上方の位置で前記キャリッジに固定されることにより、前記ガイド溝部を前記ガイド部材の前記水平面へ付勢する請求項１から４のいずれかに記載の液体噴射装置。
【請求項６】
前記駆動歯車および前記従動歯車は、鉛直面内を回転すべく配置され、
前記タイミングベルトは、前記駆動歯車および前記従動歯車の上下にかけ回され、
前記キャリッジは、下に位置する前記タイミングベルトを、前記駆動歯車および前記従動歯車の下端を互いに結ぶ直線よりも上方の位置で固定する請求項５に記載の液体噴射装置。
【請求項７】
前記付勢部は、前記主走査方向に沿って、前記キャリッジが往復する前記領域の両方の外側まで張り渡されたワイヤーを有し、
前記キャリッジの内部に配され、前記ワイヤーにより前記ガイド部材の前記水平面に向けて付勢されつつ、前記キャリッジが前記主走査方向に往復するのに伴って、前記ワイヤーをガイドしつつ回転するコロを更に備える請求項１から４のいずれかに記載の液体噴射装置。
【発明の詳細な説明】
【０００１】
【発明の属する技術分野】
本発明は、液体噴射装置に関する。特に本発明は、主走査方向に往復するキャリッジに配された噴射ヘッドが液体を噴射することにより被記録物に記録を行う液体噴射装置に関する。
【０００２】
【従来の技術】
液体噴射装置の一例としてのインクジェット式記録装置は、インクを吐出する記録ヘッドを有するキャリッジと、キャリッジを主走査方向に駆動すべくキャリッジに固定されたタイミングベルトと、キャリッジの溝部に挿入され、キャリッジを主走査方向にガイドするＬ字の形状のガイド部材とを備える（例えば、特許文献１参照）。このインクジェット式記録装置は、キャリッジがタイミングベルトにより駆動されることにより、ガイド部材にガイドされて主走査方向に移動しつつ、記録ヘッドからインクを吐出することにより被記録物に記録を行う。
【０００３】
【特許文献１】特開２００２−２５４７４６号公報（第３図）
【０００４】
【発明が解決しようとする課題】
しかしながら、キャリッジがタイミングベルトにより主走査方向へ駆動される場合に、キャリッジが主走査方向に加速または減速されると、キャリッジにガイド部材から浮き上がる力が働く。キャリッジがガイド部材から浮き上がると、キャリッジの姿勢が乱れ、被記録物への記録不良を生じるという課題があった。
【０００５】
そこで本発明は、上記の課題を解決することのできる液体噴射装置を提供することを目的とする。この目的は特許請求の範囲における独立項に記載の特徴の組み合わせにより達成される。また従属項は本発明の更なる有利な具体例を規定する。
【０００６】
【課題を解決するための手段】
即ち、本発明の第１の形態によると、液体噴射装置であって、主走査方向に往復するキャリッジと、キャリッジの底面に配され、キャリッジの下方に搬送された被記録物へ液体を噴射する噴射ヘッドと、主走査方向に延伸し、水平面および当該水平面から略直角に立ち上がる鉛直面によりＬ字の形状をなすガイド部材とを備え、キャリッジは、背面から延伸し、ガイド部材が挿入されるＬ字の形状の溝を有するガイド溝部であって、キャリッジの主走査方向における両端近傍に一対配されるガイド溝部を有し、ガイド部材の鉛直面は、ガイド溝部におけるＬ字の形状の鉛直な部分に当接することにより、被記録物の搬送方向における噴射ヘッドの位置を規制し、ガイド部材の水平面は、ガイド溝部におけるＬ字の形状の水平な部分に当接することにより、噴射ヘッドの被記録物からの高さを規制し、キャリッジをガイド部材の水平面に付勢すべく、キャリッジが主走査方向に往復する領域の一方の外側から他方の外側に渡って張られた付勢部を更に備える。これにより、キャリッジが主走査方向に加減速する場合に、キャリッジが上方に浮き上がることを防止することができる。
【０００７】
上記液体噴射装置において、付勢部は、一対のガイド溝部から同じ距離の位置でキャリッジを付勢してもよい。これにより、付勢部は、キャリッジが片上がりに浮き上がることをより確実に防止することができる。
【０００８】
上記液体噴射装置において、キャリッジは前面近傍において底面から下方に延伸した足部を更に有し、キャリッジの足部が当接すべく、主走査方向に延伸する足部ガイド面を更に備え、足部ガイド面は、足部に当接することにより、ガイド部材の水平面と共に、噴射ヘッドの被記録物からの高さを規制し、付勢部はさらに、キャリッジの足部を足部ガイド面に付勢してもよい。これにより、付勢部は、キャリッジが上方に浮き上がることをより確実に防止することができる。
【０００９】
上記液体噴射装置において、付勢部は、被記録物の搬送方向について、キャリッジのガイド溝部と足部との間においてキャリッジを付勢してもよい。これにより、付勢部は、キャリッジが上方に浮き上がることをより確実に防止することができる。
【００１０】
上記液体噴射装置において、付勢部は、ガイド溝部の上方においてキャリッジに固定されたタイミングベルトを有し、キャリッジが往復する領域の一方の外側および他方の外側にそれぞれ配され、タイミングベルトがかけ回される駆動歯車および従動歯車であって、タイミングベルトを駆動する駆動歯車、および、タイミングベルトに従動する従動歯車をさらに備え、タイミングベルトが、駆動歯車と従動歯車とを結ぶ直線よりも上方の位置でキャリッジに固定されることにより、ガイド溝部をガイド部材の水平面へ付勢してもよい。これにより、部品点数を増やすことなく、キャリッジが上方に浮き上がることを防止することができる。
【００１１】
上記液体噴射装置において、駆動歯車と従動歯車は、鉛直面内を回転すべく配置され、タイミングベルトは、駆動歯車および従動歯車の上下にかけ回され、キャリッジは、下に位置するタイミングベルトを、駆動歯車および従動歯車の下端を互いに結ぶ直線よりも上方の位置で固定されてもよい。これにより、駆動歯車からタイミングベルトへ駆動力を伝達することを担保しつつ、タイミングベルトによりキャリッジが上方に浮き上がることを防止することができる。
【００１２】
上記液体噴射装置において、付勢部は、主走査方向に沿って、キャリッジが往復する領域の両方の外側まで張り渡されたワイヤーを有し、キャリッジの内部に配され、ワイヤーにより前記ガイド部材の水平面に向けて付勢されつつ、キャリッジが主走査方向に往復するのに伴って、ワイヤーをガイドしつつ回転するコロを更に備えてもよい。これにより、簡便な構成で、キャリッジが上方に浮き上がることを防止することができる。
【００１３】
なお上記の発明の概要は、本発明の必要な特徴の全てを列挙したものではなく、これらの特徴群のサブコンビネーションも又発明となりうる。
【００１４】
【発明の実施の形態】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【００１５】
図１は、本実施形態にかかる液体噴射装置の一例であるインクジェット式記録装置１０の正面斜視図である。なお、説明のため図１は、インクジェット式記録装置１０のカバーを取り外した状態が示されている。インクジェット式記録装置１０は、被記録物２０を給紙する給紙部１００と、給紙された被記録物２０を搬送方向（図１におけるＹ方向）へ搬送する搬送部２００と、搬送された被記録物２０の上方で、領域Ａを主走査方向（図１におけるＸ方向）に往復するキャリッジ３００と、被記録物２０を搬送方向の下流にさらに排出する排紙部５００とを備える。
【００１６】
インクジェット式記録装置１０の排紙部５００は、主走査方向に延伸する略棒状の排紙ローラ５２０と、排紙ローラ５２０の上方に配され、主走査方向に延伸する略板状の排紙フレーム５４０とを有する。排紙フレーム５４０には、排紙ローラ５２０との間で被記録物２０を挟む排紙従動歯車５３０が配される。さらに排紙フレーム５４０において被記録物２０の搬送方向の下流側に、主走査方向に延伸する水平の足部ガイド面５１０が設けられる。
【００１７】
インクジェット式記録装置１０は、垂直に立ったメインフレーム４０２と、キャリッジ３００を主走査方向にガイドするＬ字形状のガイド部材４００と、キャリッジ３００を主走査方向に往復駆動すべくキャリッジ３００に固定されたタイミングベルト４３０と、タイミングベルト４３０がかけ回される駆動歯車４４０および従動歯車４５０、並びに、駆動歯車４４０を回転駆動するキャリッジモータ４６０を更に備える。駆動歯車４４０は、キャリッジ３００が往復する領域Ａよりも外側であって、キャリッジ３００の待機側に配されるとともに、従動歯車４５０は、領域Ａよりも駆動歯車４４０とは反対の外側に配される。これら駆動歯車４４０および従動歯車４５０は、鉛直面内を回転すべく水平方向に回転軸を有し、タイミングベルト４３０は、駆動歯車４４０および従動歯車４５０の上下に、張力を持ってかけ回される。
【００１８】
ここで、キャリッジ３００がタイミングベルト４３０により主走査方向へ駆動される場合に、キャリッジ３００は、タイミングベルト４３０により加速され、その後に定速に移り、停止する場合に減速される。キャリッジ３００が主走査方向に加速または減速されると、キャリッジ３００にガイド部材４００から浮き上がる力が働く。キャリッジ３００がガイド部材４００から浮き上がると、キャリッジ３００の姿勢が乱れ、被記録物２０への記録不良を生じる。特に、キャリッジ３００の移動速度が大きくなると、これに伴う加減速も大きくなり、顕著に記録不良が生ずる恐れがある。また、浮き上がったキャリッジ３００が元の姿勢に戻るときに、衝撃音である着地音が生ずるという課題がある。よって、本実施形態は、キャリッジ３００が加減速する場合に、キャリッジ３００がガイド部材４００から浮き上がることを防止することを目的とする。
【００１９】
図２は、主走査方向について待機側からキャリッジ３００をみた側面図である。図３は、キャリッジ３００を被記録物２０の搬送方向の上流側からみた斜視図である。キャリッジ３００を主走査方向（図２におけるＸ方向）にガイドするガイド部材４００は、メインフレーム４０２から押し曲げられ、水平面４１０、および、この水平面４１０から略直角に立ち上がる鉛直面４２０によりＬ字の形状をなす。
【００２０】
キャリッジ３００の底面３０２には、下方へインクを吐出する記録ヘッド３４０が配される。記録ヘッド３４０と対向する下方（図２におけるＺ方向）には、搬送部２００から搬送された被記録物２０を載置するプラテン３６０が配される。
【００２１】
キャリッジ３００の背面３０６には、この背面３０６から被記録物２０の搬送方向（図２におけるＹ方向）の上流側に延伸し、さらに下方に延伸するガイド溝上部３１２と、このガイド溝上部３１２より下方であって搬送方向の上流側に延伸するガイド溝下部３１４とが配される。これらガイド溝上部３１２およびガイド溝下部３１４は、キャリッジ３００の主走査方向における両端近傍に一対配され、ガイド部材４００が挿入されるＬ字の形状の溝を有する一対のガイド溝部３１０をなす。ガイド溝上部３１２およびガイド溝下部３１４はそれぞれ突起３１２ａおよび突起３１４ａを有し、これら突起３１２ａおよび突起３１４ａがガイド溝部３１０におけるＬ字の形状の水平部分を構成する。これら突起３１２ａおよび突起３１４ａの間で、ガイド部材４００の水平面４１０を挟む。ここで、突起３１２ａおよび突起３１４ａの鉛直方向の間隔は、ガイド部材４００の水平面４１０の厚みに対して所定のクリアランス、例えば０．１ｍｍのクリアランスを有する。このクリアランスは、ガイド部材４００における水平面４１０の厚みの個体差および水平面４１０のうねりを吸収すると共に、キャリッジ３００がガイド部材４００にガイドされつつ摺動する場合の摩擦を低減する。ガイド溝上部３１２には、互いに対向して設けられ、ガイド部材４００の鉛直面４２０に摺動する摺動部３１２ｂ、３１２ｃが設けられる。これら摺動部３１２ｂ、３１２ｃが、ガイド溝部３１０におけるＬ字の形状の鉛直部分を構成する。
【００２２】
キャリッジ３００にはさらに、前面３０４において下方に突起した足部３３０が設けられる。足部３３０は、主走査方向にも延伸する略板状の形状を有する。図２に示すように、足部３３０は、排紙部５００の足部ガイド面５１０に当接する。キャリッジ３００の上面３０８からはインクを収容したインクカートリッジが装着される。
【００２３】
以上の構成において、ガイド部材４００の水平面４１０の上面側がキャリッジ３００の突起３１２ａに当接すると共に、排紙部５００の足部ガイド面５１０がキャリッジ３００の足部３３０に当接することにより、これら水平面４１０および足部ガイド面５１０が、プラテン３６０に載置された被記録物２０からの記録ヘッド３４０の高さを規制する。さらに、ガイド部材４００の鉛直面４２０が、ガイド溝部３１０に当接することにより、被記録物２０の搬送方向における記録ヘッド３４０の位置を規制する。
【００２４】
図３に示すように、キャリッジ３００の背面３０６には、駆動歯車４４０および従動歯車４５０の上下にかけ回されたタイミングベルト４３０のうち、タイミングベルト上４３２よりも下に位置するタイミングベルト下４３４を把持して固定するタイミングベルト固定部３５０が設けられる。タイミングベルト固定部３５０は、一対のガイド溝部３１０の上方であって、被記録物２０の搬送方向についてキャリッジ３００の突起３１２ａよりも前面３０４寄りにおいて、タイミングベルト下４３４を固定する。さらに、タイミングベルト固定部３５０は、キャリッジ３００の主走査方向について、これらガイド溝部３１０から同じ距離の位置でタイミングベルト下４３４を固定する。
【００２５】
タイミングベルト固定部３５０は、駆動歯車４４０および従動歯車４５０の下端同士を結ぶ直線４３６よりも上方の位置で、タイミングベルト下４３４を固定する。ここで、タイミングベルト４３０は、駆動歯車４４０および従動歯車４５０の間に、張力を持ってかけ回されている。よって、タイミングベルト下４３４は張力によって下方の直線４３６へ復元する力を有し、この力により、ガイド溝部３１０の突起３１２ａおよび足部３３０を、それぞれガイド部材４００の水平面４１０および足部ガイド面５１０へ付勢する。タイミングベルト固定部３５０に固定されるタイミングベルト下４３４は、本発明における付勢部の一例である。なお、図３では説明のために、駆動歯車４４０および従動歯車４５０の間の距離が短くされている共にタイミングベルト下４３４の曲がり具合が誇張して示されている。
【００２６】
以上の構成において、インクジェット式記録装置１０は、被記録物２０に以下のように記録を行う。まず、給紙部１００が被記録物２０を給紙し、給紙された被記録物２０を搬送部２００がプラテン３６０の上に搬送する。被記録物２０がプラテン３６０の上に配された状態で、キャリッジモータ４６０が駆動歯車４４０を回転駆動することにより、駆動歯車４４０が、駆動歯車４４０に従動する従動歯車４５０と共に、タイミングベルト４３０を回転駆動する。タイミングベルト４３０のタイミングベルト下４３４がキャリッジ３００のタイミングベルト固定部３５０に固定されているので、タイミングベルト４３０が回転駆動することにより、キャリッジ３００がガイド部材４００にガイドされて摺動し、主走査方向に移動する。キャリッジ３００が主走査方向に移動しつつ、キャリッジ３００に搭載された記録ヘッド３４０がインクを下方の被記録物２０へ吐出することにより被記録物２０に記録が行われる。記録が行われた被記録物２０を、排紙部５００が排紙する。
【００２７】
ここで、キャリッジ３００が主走査方向に加速または減速されると、キャリッジ３００にガイド部材４００の水平面４１０から浮き上がる力が働く。例えば、キャリッジ３００が図３のＸ方向に加速され、キャリッジ３００の重心がタイミングベルト固定部３５０よりも下にあるとすると、慣性のモーメントが生じて、突起３１２ａおよび突起３１４ａのクリアランス分だけ、キャリッジ３００にＸ方向と反対側（図３における左側）が浮き上がる力が働く。本実施形態によると、付勢部の一例としてのタイミングベルト下４３４が、キャリッジ３００を水平面４１０へ付勢すると共に、足部３３０を足部ガイド面５１０に付勢する。よって、加減速時においても、キャリッジ３００が水平面４１０から浮き上がることを防止することができる。よって、加減速時にキャリッジ３００の姿勢が乱れて記録不良が生じることを防ぐことができる。さらに、加減速時にキャリッジ３００の浮き上がりを防止するので、キャリッジ３００が浮き上がって元の姿勢に戻るときに生じる着地音が発生することを防ぐことができる。
【００２８】
また、付勢部の一例であるタイミングベルト下４３４は、キャリッジ３００が往復する領域Ａの一方から他方の外側に渡って配されるので、キャリッジ３００が領域Ａを往復する場合に、キャリッジ３００を常にガイド部材４００の水平面４１０へ付勢することができる。
【００２９】
また、図１から図３に示す実施形態によれば、タイミングベルト４３０のタイミングベルト下４３４が付勢部として機能するので、部品点数を増やすことなく、キャリッジ３００が上方に浮き上がることを防止することができる。また、タイミングベルト下４３４は、駆動歯車４４０および従動歯車４５０の下端を互いに結ぶ直線よりも上方の位置で固定されているので、駆動歯車４４０および従動歯車４５０に対して大きなかけ回し角度を保つことができる。よって、脱調を防ぎ、駆動歯車４４０からタイミングベルト４３０への駆動力の伝達を担保することができる。だだし、付勢部は、タイミングベルト下４３４に限られない。他の例として、タイミングベルト固定部３５０が、駆動歯車４４０と従動歯車４５０の上端を互いに結ぶ直線よりも上方の位置でタイミングベルト上４３２を固定することにより、タイミングベルト上４３２が付勢部として機能してもよい。さらに、他の例として、タイミングベルト４３０とは別個に付勢部を設けてもよい。
【００３０】
図４および図５は、付勢部の他の例を示す。図４は、インクジェット式記録装置１０の正面斜視図であり、図５は、キャリッジ３００を上方からみた拡大斜視図である。図４および図５において、図１から図３のインクジェット式記録装置１０と同じ構成には同じ参照番号を付し、説明を省略する。
【００３１】
図４および図５に示すインクジェット式記録装置１０において、付勢部は、主走査方向に沿って、キャリッジ３００が往復する領域の両方の外側まで張り渡されたワイヤー４７０を有する。ワイヤー４７０は、キャリッジ３００の一対の側面３０９を貫通して主走査方向に張り渡される。
【００３２】
キャリッジ３００の内部には、一対のガイド溝部３１０（図３と同位置に配される）の両方からほぼ同じ距離にコロ４８０が設けられる。コロ４８０は、キャリッジ３００の内部において、回転自在に下方を保持される。コロ４８０は、ワイヤー４７０が取り付けられた両端を結ぶ直線４７２よりも上方においてワイヤー４７０と当接し、ワイヤー４７０の下方への復元力により下方に付勢される。よって、コロ４８０は、ワイヤー４７０に付勢されることにより、キャリッジ３００をガイド部材４００の水平面４１０に向けて付勢する。この状態において、コロ４８０は、キャリッジ３００が主走査方向に往復するのに伴って、ワイヤー４７０をガイドしつつ回転する。
【００３３】
図４および図５に示す実施形態においても、図１から図３に示す実施形態と同様の効果を得ることができる。また、ワイヤー４７０およびこのワイヤー４７０に付勢されて自在に回転するコロ４８０により、キャリッジ３００をガイド部材４００の水平面４１０に付勢するので、簡便な構成で、キャリッジ３００が上方に浮き上がることを防止することができる。
【００３４】
上記説明から明らかなように、本実施形態によれば、キャリッジ３００の加減速時において、キャリッジ３００が水平面４１０から浮き上がることを防止することができる。よって、加減速時にキャリッジ３００の姿勢が乱れて記録不良が生じることを防ぐことができる。さらに、加減速時にキャリッジ３００の浮き上がりを防止するので、キャリッジ３００が浮き上がって元の姿勢に戻るときに生じる衝撃音である着地音が発生することを防ぐことができる。
【００３５】
ここで、インクジェット式記録装置１０は、液体噴射装置の一例である。また、インクジェット式記録装置１０の記録ヘッド３４０は、液体噴射装置の液体噴射ヘッドの一例である。しかしながら、本発明はこれらに限られない。液体噴射装置の他の例は、液晶ディスプレイのカラーフィルタを製造するカラーフィルタ製造装置である。この場合、カラーフィルタ製造装置の色材噴射ヘッドが液体噴射ヘッドの一例である。液体噴射装置のさらに他の例は、有機ＥＬディスプレイ、ＦＥＤ（面発光ディスプレイ）等の電極を形成する電極形成装置である。この場合、電極形成装置の電極材（電導ペースト）噴射ヘッドが液体噴射ヘッドの一例である。液体噴射装置のさらに他の例は、バイオチップを製造するバイオチップ製造装置である。この場合、バイオチップ製造装置の生体有機物噴射ヘッドおよび精密ピペットとしての試料噴射ヘッドが液体噴射ヘッドの一例である。本発明の液体噴射装置は、産業用途を有するその他の液体噴射装置も含む。また被記録物とは、液体が噴射されることにより記録または印刷が行われる物であり、例えば記録用紙、ディスプレイの電極等の回路パターンが印刷される回路基板、ラベルが印刷されるＣＤ−ＲＯＭ、ＤＮＡ回路が印刷されるプレパラートが含まれる。
【００３６】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【図面の簡単な説明】
【図１】本実施形態のインクジェット式記録装置１０の正面斜視図である。
【図２】キャリッジ３００の側面図である。
【図３】キャリッジ３００の斜視図である。
【図４】他の付勢部を有するインクジェット式記録装置１０の正面斜視図である。
【図５】他の付勢部を有するキャリッジ３００の斜視図である。
【符号の説明】
１０．．．インクジェット式記録装置、１２．．．カバー、２０．．．被記録物、１００．．．給紙部、２００．．．搬送部、３００．．．キャリッジ、３０２．．．底面、３０４．．．前面、３０６．．．背面、３０８．．．上面、３０９．．．側面、３１０．．．ガイド溝部、３１２．．．ガイド溝上部、３１２ａ．．．突起、３１４．．．ガイド溝下部、３１４ａ．．．突起、３３０．．．足部、３４０．．．記録ヘッド、３５０．．．タイミングベルト固定部、３６０．．．プラテン、４００．．．ガイド部材、４０２．．．メインフレーム、４１０．．．水平面、４２０．．．鉛直面、４３０．．．タイミングベルト、４３２．．．タイミングベルト上、４３４．．．タイミングベルト下、４３６．．．直線、４４０．．．駆動歯車、４５０．．．従動歯車、４６０．．．キャリッジモータ、４７０．．．ワイヤー、４８０．．．コロ、５００．．．排紙部、５１０．．．足部ガイド面、５２０．．．排紙ローラ、５３０．．．排紙従動歯車、５４０．．．排紙フレーム
【図１】
2005014519.tif 000003
【図２】
2005014519.tif 000004
【図３】
2005014519.tif 000005
【図４】
2005014519.tif 000006
【図５】
2005014519.tif 000007